(57)【特許請求の範囲】
【請求項１】
交換機側から入力される伝送信号に混在する対向多重化伝送装置側からのエコーを消去するエコーキャンセラと、このエコーキャンセラが出力する上記伝送信号に含まれる音声信号を符号化し、上記伝送信号に含まれるファクシミリ信号を復調する符号化部と、この符号化部により符号化された伝送信号を多重化し、上記対向多重化伝送装置側へ出力する多重化部と、上記交換機側からの入力信号の特定タイムスロットの符号の変化に基づいてシグナリング信号を検出するシグナリング符号検出回路とを備え、上記シグナリング符号検出回路によりシグナリング信号を検出したときに上記エコーキャンセラによるエコー消去を停止することを特徴とする多重化伝送装置。
【請求項２】
請求項１において、上記符号化部は、シグナリング信号を符号化するシグナリング伝送用符号化回路を備え、上記シグナリング符号検出回路によりシグナリング信号を検出したときに、伝送信号を上記シグナリング伝送用符号化回路により符号化することを特徴とする多重化伝送装置。
【請求項３】
請求項１において、上記シグナリング符号検出回路によりシグナリング信号を検出し、上記エコーキャンセラによるエコー消去を停止した後、シグナリング信号が無音になってからも所定の時間はエコー消去を停止しておくことを特徴とする多重化伝送装置。
【発明の詳細な説明】
【技術分野】
【０００１】
この発明は、音声信号、ファクシミリ信号、及び音声帯域データ信号一等の伝送信号を圧縮及び多重化して伝送する多重化伝送装置に関するものである。
【背景技術】
【０００２】
図１０に従来の多重化伝送装置の一例としてＤＣＭＥ（Ｄｉｇｉｔａｌ  Ｃｉｒｃｕｉｔ  Ｍｕ１ｔｉｐｌｉｃａｔｉｏｎ  Ｅｑｕｉｐｍｅｎｔ：ディジタル回線多重化装置）の構成を示す。図１０において、１は交換機側で発生するエコーを消去するエコーキャンセラ、２は交換機側から入力される伝送信号を符号化する符号化部、３は対抗する多重化伝送装置側から伝送されてきた信号を復号する復号部である。符号化部２において、４は音声信号を符号化する音声伝送用符号化回路、５は音声帯域データ信号を符号化するＶＢＤ伝送用符号化回路（ここで、ＶＢＤはＶｏｉｃｅ  Ｂａｎｄ  Ｄａｔａ：音声帯域データの略記である。以下、同じ）、６はファクシミリ信号を復調するファクシミリ信号復調回路である。復号部３において、７は符号化された音声信号を復号する音声伝送用復号回路、８は符号化された音声帯域データ信号を復号するＶＢＤ伝送用復号回路、９は復調されたファクシミリ信号を再変調するファクシミリ信号変調回路である。１０は入力された信号の有音又は無音を検出し、検出結果をもとに入力された信号が音声信号であるか、ファクシミリ信号又は音声帯域データ信号であるかを識別する信号検出識別部である。また、１１は符号化部２において符号化された音声信号、符号化された音声帯域データ信号、及び復調されたファクシミリ信号を多重化し、対向する多重化伝送装置側へ伝送するとともに、この対向する多重化伝送装置側から伝送されてきた信号から音声信号、音声帯域データ信号、ファクシミリ信号を分離する多重化部である。
【０００３】
次に従来の多重化伝送装置による伝送処理について説明する。交換機側からの音声信号、ファクシミリ信号、又は音声帯域データ信号はエコーキャンセラ１に入力される。エコーキャンセラ１はこれらの信号について、交換機側で発生したエコーを消去し、消去後の信号を符号化部２及び信号検出識別部１０へ出力する。信号検出識別部１０は、エコーキャンセラ１から入力された音声信号、ファクシミリ信号、又は音声帯域データ信号の有普及び無音を検出し、入力信号が、音声信号であるか、ファクシミリ信号又は音声帯域デー多信号であ乞かを識別し、この識別結果と、有音又は無音の検出結果とを多重化部１１へ出力する。多重化部１１は、この識別結果と有音又は無音の検出結果をもとに、符号化回路又は復調回路の選択情報を符号化部２へ出力する。符号化部２は、多重化部１１からの選択情報に基づいて音声伝送用符号化回路４、ＶＢＤ伝送用符号化回路５、又はファクシミリ伝送用復調回路６を選択し、エコーキャンセラ１から入力される伝送信号を符号化又は復調し、多重化部１１へ出力する。
【０００４】
ここで、上記の信号検出識別部１０における信号検出及び信号識別の方法を図１１によって説明する。信号検出識別部１０では、入力される信号に２１００Ｈｚトーン信号があるか否かによって信号の種別を識別する。即ち、２１００Ｈｚトーン信号を検出した場合、入力された信号はフタクシミリ信号又は音声帯域データ信号であると識別し、２１００Ｈｚトーン信号を検出しない場合には、音声信号であると識別する。
【０００５】
従って、音声信号が交換機側から入力されてきた場合には、信号検出識別部１０は無音状態から有音状態となることを検出し、さらに２１００Ｈｚトーン信号が到来しないので、音声信号であると識別する。この有音であるとの検出結果と音声信号であるとの識別結果を多重化部１１へ出力する。多重化部１１は、この識別結果に基づいて音声伝送用符号化回路４を選択する選択信号を符号化部２へ出力し、かつ有音状態にあるか又は無音状態にあるかを示す信号を符号化部２へ出力する。符号化部２は音声伝送用符号化回路４を選択し、有音状態であるときに入力信号を符号化し多重化部１１へ出力する。
【０００６】
一方、音声帯域データ信号又はファクシミリ信号が信号検出識別部１０に入力されている場合には、無音状態から有音状態になることを検出し、さらに２１００Ｈｚトーン信号が到来し、これを検出することにより、その入力された信号が音声帯域データ信号又はファクシミリ信号であると識別する。信号検出識別部１０は、この有音であるとの検出結果と、音声帯域データ信号又はファクシミリ信号であるとの識別結果を多重化部１１へ出力する。多重化部１１は、この時点においては交換機側からの入力信号が音声帯域データ信号であるかファクシミリ信号であるかを識別できないので、信号検出識別部１０の識別結果に基づいて、ＶＢＤ伝送用符号化回路５及びファクシミリ信号復調回路６を選択する選択信号を符号化部２へ出力し、かつ有音状態にあるか又は無音状態にあるかを示す信号を符号化部２へ出力する。この選択信号に基づいて符号化部２は、交換機側からの入力信号が有音状態にある場合に、ＶＢＤ伝送用符号化回路５による信号の符号化、及びファクシミリ信号復調回路６による信号の復調を行う。交換機側から入力された信号がファクシミリ信号である場合、ファクシミリ信号復調回路６による信号復調の結果、２１００Ｈｚトーン信号の後、ファクシミリ特有の信号が入力されてくるので，、ファクシミリ信号復調回路６はその特有の信号を検出すると、多重化部１１へ信号がファクシミリ信号であるとの検出結果を出力する。多重化部１１は、ファクシミリ信号復調回路６からファクシミリ信号であるとの検出緒巣が入力された場合、ファクシミリ信号復調回路６の出力を選択し、そうでない場合には、ＶＢＤ伝送用符号化回路の出力を選択する。
【０００７】
なお、信号検出識別部１０において、２１００Ｈｚトーン信号を検出する際に、相当な時間を要する。この検出に要する時間の間は、符号化部２での符号化は音声伝送用符号化回路４が逮択されているので、２１００Ｈｚトーン信号の先頭部分に対しては音声伝送用符号化が行われる。また、交換機側からファクシミリ信号が入力されている場合、ファクシミリ信号特有の信号が検出されるまでは、ＶＢＤ伝送用符号化回路５が選択され、ファクシミリ信号はＶＢＤ伝送用符号化されて伝蓬される。
【０００８】
上記のように、音声信号及び音声帯域データ信号は符号化部２における符号化によって圧縮され、また有音信号のみが多重伝送される。また、ファクシミリ信号については符号化部２において復調され、多重伝送される。従って、音声信号、音声帯域データ信号、及びファクシミリ信号を効率良く伝送することができる。
【０００９】
次に、従来の多重化伝送装置において、図１２及び図１３に示すような交換機からの各種シグナリング伝送方式に準拠したシグナリング信号が入力された場合を考える。
【００１０】
図１２はＣｈｉｎｅｓｅ  Ｎｏ．１信号伝送方式におけるシグナリング伝送方式や、国際標準信号伝送方式であるＮｏ．５、Ｒ１、Ｒ２信号伝送方式におけるシグナリング伝送方式を説明する模式図である。これらのシグナリング伝送右式においては、信号の形態として、ラインシグナリング（Ｌｉｎｅ  Ｓｉｇｎａｌｉｎｇ）とレジスタシグナリング（Ｒｅｇｉｓｔｅｒ  Ｓｉｇｎａ１ｉｎｇ）の２形態がある。図１２に示すラインシグナリングは、例えば発呼側交換機から着呼側交換機に送信される発呼時の起動信号や、この起動信号に対する着呼側交換機からの起動完了信号、あるいは、ダイヤル番号送信後に発呼側交換機から着呼側交換機に送信される呼出信号や、この呼出信号に対する着呼側交換機からの応答信号がある。また、レジスタシグナリングには、例えば発呼側交換機から着呼側交換機に送信される相手先電話番号を伝送する信号などがある。
【００１１】
ラインシグナリングは、Ｃｈｉｎｅｓｅ  Ｎｏ．１シグナリング伝送方式、及びＲ２シグナリング伝送方式の場合、音声、音声帯域データ信号及びファクシミリ信号が伝送されないタイムスロット１６、即ちアウトバンド（Ｏｕｔ  Ｂａｎｄ）を使用して伝送される。これに対してＲ１シグナリング伝送方式の場合には、音声、音声帯域データ及びファクシミリ信号が伝送されるタイムスロットの８ビットの最下位ビット（即ち、ロブドビット：Ｒｏｂｂｅｄ  Ｂｉｔ）を使用し、インバンド（Ｉｎ  Ｂａｎｄ）で伝送される。また、Ｎｏ．５シグナリング伝送方式の場合、音声、音声帯域データ信号及びファクシミリ信号が伝送されるタイムスロットを使用し、２４００Ｈｚトーン信号、又は２６００Ｈｚトーン信号、又は２４００Ｈｚトーン及び２６００Ｈｚトーン混成信号が伝送される。この場合もインバンドで伝送される。また、図１３に示すＮｏ．７シグナリング伝送方式の場合、最初の２０００Ｈｚトーン信号（ＣＣＴ信号：Ｃｏｎｄｕｃｔｉｖｉｔｙ  Ｃｈｅｃｋ  Ｔｏｎｅ）交換機同士が回線の導通確認を行うために発生する信号）は、インバンドで伝送され、それ以降のシグナリング信号については、アウトバンドで伝送される。
【００１２】
上記のように、シグリング信号には、インバンドで伝送されるものと、アウトバンドで送信されるものとがあるが、図１０に示す従来の多重化伝送装置によってシグナリング信号を伝送する場合、次に説明する問題が生じる。
【００１３】
まず、Ｎｏ．５シグナリング伝送方式についてみると、ラインシグナリング信号である２４００Ｈｚトーン信号、又は２６００Ｈｚトーン信号、又は２４００Ｈｚトーン及び２６００Ｈｚトーン混成信号は、発信局側交換機からも、着信局側交換機からも伝送される。したがって、多重化伝送装置内のエコーキャンセラ１において、これらの信号がキャンセルされてしまう。その結果、正常なシグナリング伝送を行うことができず、交換機間の回線接続が不可能となり以降の通信が不能となる。
【００１４】
また、Ｎｏ．７シグナリング伝送方式におけるＣＣＴ信号も、上記同様に、発振局側交換機と着信局側交換機の双方から伝送されるので、多重化伝送装置内のエコーキャンセラ１において、キャンセルされるので、導通確認がとれず、以降の通信接続が不能となる。
【００１５】
更に、Ｎｏ．５シグナリング伝送方式、Ｒ１、Ｒ２シグナリング伝送方式、及びＣｈｉｎｅｓｅ  Ｎｏ．１シグナリング伝送方式におけるレジスタシグナリング信号（発信局側交換機から着信局側交換機へ発呼した電話番号を伝送する信号）は、ＭＦ（Ｍｕ１ｔｉ  Ｆｒｅｑｕｅｎｃｙ）信号として伝送されるが、近年の音声信号の高昨率伝送に用いられる音彦符号化手段（例えば、ＩＴＵ−丁勧告Ｇ．７２９準拠８ｋｂｉｔ／ｓ  ＣＳ−ＡＣＥＬＰ音声符号化手段など）においては、このＭＦ号号を正常伝送できない場合がある。すなわち、これらのＭＦ信号は信号検出識別部１０において音声であると判断され、音声伝送用符号化回路４が選択されるので、レジスタシグナリング信号に含まれる電話番号を誤伝送することがある。
【００１６】
以上のように、従来の多重化伝送装置においては、ＣＣＴ信号やＭＦ信号を正常に伝送することができず、以降の音声信号、音声帯域データ信号、及びファクシミリ信号を正常に伝送することができないという問題点があった。
【発明の開示】
【発明が解決しようとする課題】
【００１７】
この発明は上記のような問題点を解消するためになされたものであり、各種シグナリング伝送方式を検出し、さらにはシグナリング伝送中のエコーキャンーセラの動作制御や、レジスタシグナリングであるＭＦ信号等のシグナリング信号を正常に伝送できるシグナリング伝送用符号化及び復号化手段を有する多重化伝送装置を得ることを目的とする。
【課題を解決するための手段】
【００１８】
この目的を達成するために、この発明に係る多重化伝送装置は、交換機側から入力される伝送信号に混在する対向多重化伝送装置側からのエコーを消去するエコーキャンセラと、このエコーキャンセラが出力する上記伝送信号に含まれる音声信号を符号化し、上記伝送信号に含まれるファクシミリ信号を復調する符号化部と、この符号化部により符号化された伝送信号を多重化し、上記対向多重化伝送装置側へ出力する多重化部と、上記交換機側からの入力信号の特定タイムスロットの符号の変化に基づいてシグナリシグ信号を検出するシグナリング符号検出回路とを備え、上記シグナリング符号検出回路によりシグナリング信号を検出したときに上記エコーキャンセラによるエコー消去を停止するものである。
【発明の効果】
【００１９】
この構成によって、シグナリング信号が特定のタイムスロットにより伝送される場合において、シグナリング信号をエコーキャンセラでのエコー消去によって消してしまうこと無く、対向する多重化伝送装置へ伝送することが可能となる。さらに、上記符号化部は、シグナリング信号を符号化するシグナリング伝送用符号化回路を備え、上記シグナリング符号検出回路によりシグナリング信号牽検出したときに、伝送信号を上記シグナリング伝送用符号化回路により符号化する構成としてもよい。この構成によって、シグナリング信号を確実に符号化して伝送するので、対向する多重化伝送装置へ正常にシグナリング信号を伝送することができる。さらに、上記シグナリング符号碑出回路によりシグナリング信号を検出し、上記エコーキャンセラによるエコー消去を停止した後、シグナリング信号が無音になってからも所定時間はエコー消去を停止しておく構成としてもよい。この構成によって、シグナリングが終了するまでのエコー消去停止の時間が十分に確保されるので、対向する多重化伝送装置へ正常にシグナリング信号を伝送することができる。
【発明を実施するための最良の形態】
【００２０】
実施の形態１．
図１は本発明の実施の形態１に係る多重化伝送装置の構成を示すブロック図である。図１において、交換機側からは、電話の音声や、音声帯域データ信号、或いはファクシミリ端末のファクシミリ信号等が混在した伝送信号が入力される。１２は交換機側で発生する工コーを消去するエコーキャンセラであり、１３は交換機側から入力される伝送信号を符号化する符号化部、１４はシグナリング時に伝送するシグナリング信号を符号化するシグナリング伝送用符号化回路である。符号化部１３は、音声伝送用符号化回路４、ＶＢＤ伝送用符号化回路５、ファクシミリ信号復調回路６、さらにシグナリング伝送用符号化回路１４を有する。１５は対向する多重化伝送装置側から伝送されてきた信号を復号する復号部であり、１６は符号化されたシグナリング信号を復号するシグナリング伝送用復号回路である。復号部１５は、音声伝送用復号回路７、ＶＢＤ伝送用復号回路８、ファクシミリ信号変調回路９、さらにシグナリング伝送用復号回路１６を有する。１７は音声信号、音声帯域データ信号、及びファクシミリ信号などの伝送信号の検出及び識別を行う信号検出識別部である。信号検出識別部１７において、１８は音声信号、音声帯域データ信号、及びファクシミリ信号が有音であるか無音であるかを検出する信号検出回路、１９は伝送される信号が音声信号であるか、音声帯域データ信号又はファタシミリ信号であるかを識別する信号識別回路、２０は各種シグナリング伝送方式により伝送される特有のトーン信号を検出するトーン信号検出回路である。２１は、伝送信号の多重化、及び対向する多重化伝送装置から多重化されて送られてくる伝送信号の分離を行う多重化部である。多重化部２１において、２２は符号化された音声信号、符号化された音声帯域データ信号、復調されたファクシミリ信号、及び符号化されたシグナリング信号を多重化ナる信号多重化回路、２３は多重化された伝送信号から符号化された音声信号、符号化された音声帯域データ信号、復調されたファクシミリ信号及び符号化されたシグナリング信号を分離する信号分離回路、２４は各種シグナリング伝送方式によるシグナリング符号を検出するシグナリング符号検出回路である。なお、図１において、図１０と同一の符号を付した部分は、図１０におけるそれらの部分と同一又は相当な部分であることを示す。
【００２１】
次に実施の形態１に係る多重化伝送装置による信号伝送について説明する。音声信号、音声帯域データ信号、及びファクシミリ信号の信号伝送については、図１０に示した従来の多重化伝送装置における信号伝送と同様であるので説明を省略する。但し、多重化部２１内には信号多重化回路２２と信号分離回路２３とを備えており、信号多重化回路２２は、伝送信号を多重化して対向する多重化伝送装置へ送出し、信号分離回路２４は、対向する多重化伝送装置からの伝送信号に多重化された音声信号、音声帯域データ信号、及びファクシミリ信号を分離しており、図１０に示す多重化部１１に相当する。また、信号検出識別部１７内の信号検出回路１８及び信号識別回路１９は、図１０に示す信号検出識別部１０に相当するものである。
【００２２】
各種シグナリング伝送方式における信号の形態としては、ラインシグナリング（Ｌｉｎｅ  Ｓｉｇｎａ１ｉｎｇ）とレジスタシグナリング（Ｒｅｇｉｓｔｅｒ  Ｓｉｇｎａ１ｉｎｇ）の２形態がある。前述のとおり図１２に示すラインシグナリングには、例えば発呼側交換機から着呼側交換機に送信される発呼時の起動信号や、この起動信号に対する着呼佃側交換機からの起動完了信号、あるいは、ダイヤル番号送信後に発呼側交換機から着呼側交換機に送信される呼出信号や、この呼出信号に対する着呼側交換機からの応答信号がある。また、レジスタシグナリングには、例えば発呼側交換機から着呼側交換機に送信される相手先電話番号を伝送する信号などがある。
【００２３】
次に図１２及び図１３により説明した各種伝送方式におけるシグナリング信号の伝送について、以下に説明する。
【００２４】
Ｃｈｉｎｅｓｅ  Ｎｏ．１シグナリング伝送方式のようにラインシグナリング信号が、タイムスロット１６のａｂｃｄビットで伝送される場合の信号伝送について説明する。シグナリング符号検出回路２４は、伝送信号のタイムスロット１６をモニタしており、そのａｂｃｄビットの特定の変化を検出すると、信号検出識別部１７に対して検出結果を出力する。即ち、シグナリング符号検出回路２４は、伝送信号の特定のタイムスロットをモニタし、その符号の変化によってシグナリング信号の到来を検出する。信号検出識別部１７は入力された検出結果が特定の変化を示すものである場合、エコーキャンセラ１２に対してエコー消去動作の停止を指令する。このエコー消去動作の停止指令は、シグナリング信号が無音になってからも所定の時間は信号検出識別部１７からエコーキャンセラ１２に対して出力し続けるようにしても良い。この所定時間をシグナリングハングオーバ時間（Ｓｉｇｎａ１ｉｎｇ  Ｈａｎｇ  Ｏｖｅｒ  Ｔｉｍｅ）と呼ぶ。このシグナリシグハングオーバ時間の間は、シグナリング信号が無音になった後も有音であるとみなすことに相当する。エコーキャンセラ１２は、エコー消去動作の停止指令が入力されている間は、エコー消去動作を停止する。多重化部２１は、シグナリング信号検出中、符号化部１３に対してシグナリング伝送用符号化回路１４を選択する選択信号を出力する。符号化部１３はシグナリング伝送用符号化回路１４を動作させてエコーキャンセラ１２からの入力信号、即ちシグナリング信号を符号化し、符号化したシグナリング信号を多重化部２１へ出力する。以上の動作により、ラインシグナリングの特定の変化を検出した後、シグナリングハングオーバ時間か経過するまで、エコー消去動作を停止し、正常にシグナリソグ信号を符号化して伝送することができる。
【００２５】
図２は、シグナリングハングオーバ時間について説明する模式図である。図２の上段は多重化伝送装置に入力されるシグナリング信号を示しており、順次、ラインシグナリング信号、レジスタシグナリングであるＭＦ信号、ラインシグナリング信号が入力され、その後に音声信号等の伝送信号が入力されている場合を示している。図２の中段は、シグナリングハングオーバによるシグナリング伝送の継続を示しており、白抜き部分においてシグナリング信号が伝送される。図２の下段は、エコーキャンセラ１２におけるエコー消去動作を示しており、シグナリングハングオーバ時間が経過するまではエコー消去動作を停止し、シグナリングハングオーバ時間経過後、エコー消去動作を行う。このようにシグナリングハングオーバ時間は、シグナリング信号の伝送終了時を十分にカバーするような所定時間を設定する。
【００２６】
上記においては、ラインシグナリング信号がタイムスロット１６のａｂｃｄビットで伝送される場合を一例として示したが、ラインシグナリング信号がロブドビットで伝送される場合も同様である。また、Ｎｏ．５シグナリング伝送方式のように、ラインシグナリング信号がトーン信号で送出される場合、このトーン信号を信号検出識別部１７におけるトーン信号検出回路２０において検出し、エコーキャンセラ１２にエコー消去動作の停止を指令する。なお、ラインシグナリング信号がトーン信号で送出される場合の例としては、Ｎｏ．５シグナリング伝送方式において２４００Ｈｚトーン信号、又は２６００Ｈｚトーン信号、又は２４００Ｈｚトーン及び２６００Ｈｚトーン混成信号が送出される場合や、Ｎｏ．６及びＮｏ．７シグナリング伝送方式においてＣＣＴ（２０００Ｈｚトーン）信号が送出される場合などがある。信号検出識別部１７は、多重化部２１に対して、シグナリング信号を検出した事を出力し、多重化部２１は符号化部１３に対してシグナリング伝送用符号化回路１４を選択する選択信号を出力する。また、信号検出識別部１７はシグナリングハングオーバ時間が経過するまで、エコーキヤンセーラ１２に対してエコー消去動作の停止を指令するように構成しても良い。
【００２７】
実施の形態２．
図３は本発明の実施の形態２に係る多重化装置の構成を示すブロック図である。図３において、２５は交換機側から入力される信号から各種のシグナリング伝送方式において伝送されるトーン信号を検出するトーン信号検出回路である。２６は信号検出回路１８及び信号識別回路１９を有する信号検出識別部であり、エコーキャンセラから入力される年号を検出及び識別する。また信号検出識別部２６は、実施の形態１に示した信号検出識別部１７において、トーン信号検出回路以外の構成及び機能を備えたものである。
【００２８】
音声信号、音声帯域データ信号、ファクシミリ信号の信号伝送の動作は、図９に示す従来の多重化伝送装置について説明した動作と同様であるので、説明を省略する。また、ラインシグナリング信号がタイムスロット１６のａｂｃｄビットで伝送される場合のシグナリング信号伝送の動作は、実施の形態１における動作と同様である。以下には、Ｎｏ．５シグナリング伝送方式の場合のようにラインシグナリング信号がトーン信号により送出される場合のシグナリング信号伝送の動作について説明する。
【００２９】
交換機側からの伝送信号はエコーキャンセラ１２の前段においてトーン信号検出回路２５に入力される。トーン信号検出回路２５は、検出したトーン信号がシグナリング伝送方式において伝送されるトーン信号であるかどうかを検出する。例えばＮｏ．５シグナリング伝送方式の場合には、２４００Ｈｚトーン信号、又は２６００Ｈｚトーン信号、２４００Ｈｚトーン及び２６００Ｈｚトーン混成信号であるかどうかを検出する。また、Ｎｏ．７シグナリング伝送方式の場合には、導通確認を行うためのＣＣＴ（２０００Ｈｚトーン）信号であるかどうかを検出する。トーン信号検出回路２５は上記のようなシグナリング伝送方式におけるトーン信号を検出すると、信号検出識別部１７に対して、トーン信号を検出したことを示す通知信号を出力する。この通知イ蕎号が入力されると、信号検出識別部１７はエコーキャンセラ１２に対してエコー消去動作の停止を指令し、多重化部２１に対して、シグナリング伝送方式におけるトーン信号が検出されたことを示す通知信号を出力する。また、信号検出識別部１７はシグナリングハングオーバ時間が設定されていれば、その時間が経過するまで、エコーキャンセラ１２に対して、エコー消去動作の停止を指令し続け、多重化部２１に対して、シグナリング伝送方式におけるトーン信号が検出されたことを示す通知信号を出力し続ける。多重化部２１は、この通知信号を受けている期間中、符号化部１３に対してシグナリング伝送用符号化回路１４を選択する選択信号を出力し、これを受けた符号化部１３はシグナリング伝送用符号化回路１４を動作させ、信号を符号化して多重化部２１へ出力する。
【００３０】
実施の形態３．
図４は、本発明の実施の形態３に係る多重化装置において、Ｃｈｉｎｅｓｅ  Ｎｏ．１シグ方リング伝送方式によるシグナリングが発生した場合のシグナリング検出処理の流れを示すフローチャートである。このフローチャートによる検出処理は、実施の形態１及び実施の形態２に適用される。即ち、ここで説明するシグナリング検出処理は、実施の形態１において説明した図１、及び実施の形態２において説明した図３に示される多重化部２１内のシグナリング符号検出回路２４において実行されるものである。
【００３１】
図４のステップＳ１において、タイムスロット１６のａｂｃｄビットをモニタし、モニタ結果を保存する。次にステップＳ２において、ステップＳ１で保存したａｂｃｄビットの内容と、前回保存したａｂｃｄビットの内容とを比較する。前回保存したａｂｃビットが１０１であり、今回保存したａｂｃビットが００１である場合、又は前回保存したａｂｃビットトが１０Ｘ（Ｘは不定）であり、今回保存したａｂｃビットが１１Ｘの場合には、ステップＳ３へ移行してＣｈｉｎｅｓｅ  Ｎｏ．１シグナリングを検出したものとみなす。このステップＳ３においてシグナリング符号検出回路２４は、実施の形態１においては図１に示す信号検出識別部１７へ、実施の形態２においては図３に示す信号検出識別部２６ヘシグナリング信号を検出したことを通知する。ステップＳ２において、前回保存したａｂｃビツト及び今回保存したａｂｃビットの変化が上記の場合でない場合は、ステップＳ４に移行しＣｈｉｎｅｓｅ  Ｎｏ．１シグナリングが検出されていないものとみなす。ステップＳ３及びステップＳ４終了後、ステップＳ５により全処理を終了する。
【００３２】
次にＲ２シグナリング伝送方式によるシグナリングが発生した場合のシグナリング検出処理の流れを図５に示すフローチャートにより説明する。このフローチャートによる検出処理は、実施の形態１及び実施の形態２に適用される。即ち、ここで説明するシグナリング検出処理は、実施の形態１において説明した図１、及び実施の形態２において説明した図３に示される多重化部２１内のシグナリング符号検出回路２４において実行されるものである。
【００３３】
図５のステップＳ６において、タイムスロゾート１６のａｂｃｄビットをモニタし、モニタ結果を保存する。次にステップＳ７において、ステップＳ６で保存したａｂｃｄビットの内容と、前回保存したａｂｃｄビットの内容とを比較する。前回保存したａｂビットが１０であり、今回保存したａｂビットが００である場合、又は前回保存したａｂビットが１０であり、今回保存したａｂビットが１１の場合には、ステップＳ８へ移行してＲ２シグナリングを検出したものとみなす。このステップＳ８において、シグナリング符号検出回路２４は、実施の形態１においては図１に示す信号検出識別部１７へ、実施の形態２においては図３に示す信号検出識別部２６ヘシグナリング信号を検出したことを通知する。ステップＳ７において、前回保存したａｂビット及び今回保存したａｂビットの変化が上記の場合でない場合は、ステップＳ９に移行し、Ｒ２シグナリングが検出されていないものとみなす。ステップＳ８及びステップＳ９終了後、ステップＳ１０により全処理を終了する。
【００３４】
次にＲ１シグナリング伝送方式によるシグナリングが発生した場合のシグナリング検出処理の流れを図６に示すフローチャートにより説明する。このフローチャートによる検出処理は、実施の形態１及び実施の形態２に適用される。即ち、ここで説明するシグナリング検出処理は、実施の形態１において説明した図１、及び実施の形態２において説明した図３に示される多重化部２１内のシグナリング符号検出回路２４において実行されるものである。
【００３５】
図６のステップＳ１１において、音声信号・音声帯域データ信号、及びファクシミリ信号を伝送するタイムスロットの最下位ビット（即ち、ロブドビット）をモニタし、モニタ結果を保存する。次にステップＳ１２において、ステップＳ１１で保存したロブドビットの内容と、前回保存したロブドビットの内容とを比較する。前回保存したロブドビットＡ又はＢが０であり、今回保存したロブドビットＡ又はＢが１である場合、ステップＳ１３へ移行してＲ１シグナリングを検出したものとみなす。このステップＳ１３において、シグナリング符号検出回路２４は、実施の形態１においては図１に示す信号検出識別部１７へ、実施の形態２においては図３に示す信号検出識別部２６ヘシグナリング信号を検出したことを通知する。ステップＳ１２において、前回保存したロブドビット及び今回保存したロブドピットの変化が上記の場合でない場合は、ステップＳ１４に移行しＲ１シグナリングが検出されていないものとみなす。ステップＳ１３及びステップＳ１４終了後、ステップＳ１５により全処理を終了する。
【００３６】
実施の形態４．
図７は、本発明の実施の形態４に係る多重化装置において、Ｎｏ．５シグナリング伝送方式によるシグナリングが発生した場合のシグナリング検出処理の流れを示すフローチャートである。このフローチャートによる検出処理は、実施の形態１及び実施の形態２に適用される。即ち、ここで説明するシグナリング検出処理は、実施の形態１において説明した図１に示されるトーン信号検出回路２０、及び実施の形態２において説明した図３に示されるトーン信号検出回路２５において実行されるものである。
【００３７】
図７のステップＳ１６において、音声信号、音声帯域データ信号及びファクシミリ信号が伝送されるタイムニスロットをモニタする。次にステップＳ１７において、ステップＳ１６におけるモニタにより２４００Ｈｚトーン信号、又は２６００Ｈｚトーン信号、又は２４００Ｈｚ及び２６００Ｈｚトーン混成信号を検出した場合、ステップＳ１８へ移行する。このステップＳ１８において、実施の形態２の場合は図３のトーン信号検出回路２５から信号検出識別部２６に対して、シグナリング信号を検出した旨の通知信号を送出する。ステップＳ１６におけるモニタ結果が上記のトーン信号ではない場合、ステップＳ１９においてＮｏ．５シグナリングを検出されなかったものとみなす。ステップＳ１８及びステップＳ１９終了後、ステップ２０により全処理を終了する。
【００３８】
図８は、本発明の実施の形態４に係る多重化装置において、Ｎｏ．７シグナリング伝送方式によるシグナリングが発生した場合のシグナリング検出処理の流れを示すフローチャートである。このフローチャートによる検出処理は、実施の形態１及び実施の形態２に適用される。即ち、ここで説明するシグナリング検出処理は、実施の形態１において説明した図１に示されるトーン信号検出回路２０、及び実施の形態２において説明した図３に示されるトーン信号検出回路２５において実行されるものである。
【００３９】
図８のステップＳ２１において、音声信号、音声帯域データ信号及びファクシミリ信号が伝送されるタイムスロットをモニタする。次にステップＳ２２において、ステップＳ２１におけるモニタにより導通確認のためのＣＣＴ（２０００Ｈｚトーン）信号を検出した場合、ステップＳ２３へ移行する。ご。のステップＳ２３において、実施の形態２の場合は図３のトーン信号検出回路２５から信号検出識別部２６に対して、シグナリング信号を検出した旨の通知信号を送出する。ステップＳ２１におけるモニタ結界が上記のトーン信号ではない場合、ステップＳ２４においてＮｏ．５シグナリングを検出されなかったものどみなす。ステップＳ２３及びステップＳ２４終了後、ステップ２５により全処理を終了する。
【００４０】
実施の形態５．
図９は、本発明の実施の形態５に係る多重化伝送装置において、音声等の信号識別処理も含めた各種シグナリング方式によるシグナリング検出処理の流れを示すフローチャートである。このフローチャートによる検出処理は、実施の形態１及び実施の形態２に適用される。
【００４１】
図８のステップＳ２６において音声又は音声帯域データ信号の識別処理を行い、ステップＳ２７において伝送信号の有者又は無音を検出する。このステップＳ２６とステップＳ２７における処理は、図１０の従来の多重化伝送装置における処理と同様であり、ここでは説明を省略する。ステップＳ２８は、実施の形態４において説明したトーン信号検出処理である。ステップＳ２９は、ステップＳ２８において検出した信号が、各種のシグナリング伝送方式によるシグナリング信号であるかどうかを判定する。このステップＳ２９においてシグナリング信号であると判定した場合はステップＳ３０に移行する。ステップ３０において、シグナリングハングオーバ時間が経過していない場合には、さらにステップＳ３１に移行し、エコーキャンセラ１２に対してエコー消去の動作停止を指令し、更にシグナリング伝送用符号化回路を選択する選択指示を多重化部に出力する。また、ステップＳ３０においてシグナリングハングオーバ時間が経過している場合には、ステップＳ３２へ移行する。ステップ３２においては、エコーキャンセラ１２に対してエコー消去の動作指示を行い、更にシグナリング伝送用符号化回路１４を選択する選択指示を多重化部２１に出力する。一方、ステップＳ２９においてシグナリング信号を検出しなかったと判定した場合には、スーテヅプＳ３３へ移行し、全処理を終了する。
【図面の簡単な説明】
【００４２】
【図１】この発明の実施の形態１に係る多重化伝送装置の構成を示すブロック図である。
【図２】この発明の実施の形態１に係る多重化伝送装置におけるシグナリングハングオーバ時間について説明する模式図である。
【図３】この発明の実施の形態２に係る多重化伝送装置の構成を示すフロック図である。
【図４】この発明の実施の形態３に係る多重化伝送装置において、Ｃｈｉｎｅｓｅ  Ｎｏ．１シグナリングを検出する処理内容を示すフローチャートである。
【図５】この発明の実施の形態３に係る多重化伝送装置において、Ｒ２シグナリングを検出する処理内容を示すフローチャートである。
【図６】この発明の実施の形態３に係る多重化伝送装置において、Ｒ１シグナリングを検出する処理内容を示すフローチャートである。
【図７】この発明の実施の形態４に係る多重化伝送装置において、Ｎｏ．５シグナリングを検出する処理内容を示すフローチャートである
【図８】この発明の実施の形態４に係る多重化伝送装置において、Ｎｏ．６及びＮｏ．７シグナリングを検出する処理内容を示すフローチャートである。
【図９】この発明の実施の形態５に係る多重化伝送装置において、音声等の信号識別処理も含めた各種シグナリング方式によるシグナリング信号を検出する処理内容を示すフローチャートである。
【図１０】従来の多重化伝送装置の一例を示すブロック図である。
【図１１】図１１は、従来の多重化伝送装置における伝送信号の検出と識別の方法を示す模式図である。
【図１２】各種信号伝送方式におけるシグナリング伝送方式を説明する模式図である。
【図１３】Ｎｏ．７シグナリング伝送方式を説明する模式図である。
【図１】
0003588096.tif 000002
【図２】
0003588096.tif 000003
【図３】
0003588096.tif 000004
【図４】
0003588096.tif 000005
【図５】
0003588096.tif 000006
【図６】
0003588096.tif 000007
【図７】
0003588096.tif 000008
【図８】
0003588096.tif 000009
【図９】
0003588096.tif 000010
【図１０】
0003588096.tif 000011
【図１１】
0003588096.tif 000012
【図１２】
0003588096.tif 000013
【図１３】
0003588096.tif 000014